(57)【要約】【課題】所望の番組の音声のみを記録することもでき、また、ＭＰ３プレイヤ等でも音声を再生することができるようにした情報記録再生装置を提供する。【解決手段】リモコンにより記録対象選択画面を表示させる操作が行われると、記録対象選択画面がディススプレイ装置に表示される。音声のみを記録する方が選択され、記録指示がされたときに、ＭＰ３圧縮処理手段はチューナからの映像音声信号のうちＡ／Ｄ変換して得られたデジタル音声データをＭＰ３圧縮デジタル音声データに変換する。ＭＰ３音声選択制御手段は、前記変換されたＭＰ３圧縮デジタル音声データのみを選択する制御を行う。これにより、記録媒体にはＭＰ３圧縮デジタル音声データのみが書き込まれる。記録媒体からＭＰ３圧縮デジタル音声データを読み出したときは、インターフェイスを介して外部に送信することも可能であり、ＭＰ３プレイヤで歌番組の音声のみを聴くことができる。【選択図】図１
2007280500.tif 000002
【特許請求の範囲】
【請求項１】
テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置において、
音声データのみを記録媒体に記録させるか、通常に映像音声データを記録媒体に記録させるかの選択を行わせるための記録対象選択画面をディスプレイ装置に表示させる記録対象選択画面表示手段と、
前記音声データのみを記録させる方が選択された場合に、チューナからの映像音声信号のうちアナログ／デジタル変換して得られたデジタル音声データを特定の音声圧縮形式の特定圧縮デジタル音声データに変換する音声特定圧縮処理手段と、
前記変換された特定圧縮デジタル音声データのみを記録媒体に入力できるように前記特定圧縮デジタル音声データのみを選択する制御を行う音声選択制御手段と、
前記選択された特定圧縮デジタル音声データを記録媒体に書き込むと共に、記録媒体から前記特定圧縮デジタル音声データを読み出す記録媒体制御手段と、
前記読み出された特定圧縮デジタル音声データを外部の音声再生機器に送信するためのインターフェイスと、を備えたことを特徴とする情報記録再生装置。
【請求項２】
テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置において、
デジタル音声データを特定の音声圧縮形式の特定圧縮デジタル音声データに変換する音声特定圧縮処理手段と、
前記特定圧縮デジタル音声データを記録媒体に書き込むと共に、記録媒体から特定圧縮デジタル音声データを読み出す記録媒体制御手段と、
前記読み出された特定圧縮デジタル音声データを外部の音声再生機器に送信するためのインターフェイスと、を備えたことを特徴とする情報記録再生装置。
【請求項３】
前記音声特定圧縮処理手段は、音声データのみを記録媒体に記録させるか、通常に映像音声データを記録媒体に記録させるかの選択を行わせるために記録対象選択画面表示手段によりディスプレイ装置に表示された記録対象選択画面において、前記音声データのみを記録させる方が選択された場合に、チューナからの映像音声信号のうちアナログ／デジタル変換して得られたデジタル音声データを特定の音声圧縮形式の特定圧縮デジタル音声データに変換することを特徴とする請求項２に記載の情報記録再生装置。
【請求項４】
前記記録媒体制御手段は、前記変換された特定圧縮デジタル音声データのみを記録媒体に入力できるように音声選択制御手段により選択された前記特定圧縮デジタル音声データを記録媒体に書き込むと共に、記録媒体から前記特定圧縮デジタル音声データを読み出すことを特徴とする請求項２に記載の情報記録再生装置。
【発明の詳細な説明】
【技術分野】
【０００１】
本発明は、テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置に関し、特に、テレビ番組で歌番組の音声データのみでも保存できる機能を有する情報記録再生装置に関する。
【背景技術】
【０００２】
近年、テレビ番組などのような大量の映像音声データを記録することができるハードディスクを搭載した情報記録再生装置が普及している。このような情報記録再生装置では、所望のテレビ番組が容易に記録でき、また、所望の時間にテレビ番組を再生できる。
【０００３】
ところで、従来から情報記録再生装置は、記録系の構成要素として、アンテナを介して受信したテレビ放送信号の中から選局されたアナログ映像音声信号を取り出すチューナと、このチューナからのアナログ映像信号を映像検波および映像増幅などの処理を行う映像処理手段と、チューナからのアナログ音声信号を音声検波および音声増幅などの処理を行う音声処理手段と、映像処理手段からのアナログ映像信号をデジタル映像データに変換する映像Ａ／Ｄ変換手段と、音声処理手段からのアナログ音声信号をデジタル音声データに変換する音声Ａ／Ｄ変換手段とを備えている。
【０００４】
また、この情報記録再生装置は、映像Ａ／Ｄ変換手段からのデジタル映像データをＪＰＥＧ方式やＭＰＥＧ方式などにより圧縮する映像圧縮処理手段と、音声Ａ／Ｄ変換手段からのデジタル音声データをＭＰＥＧ方式などにより帯域圧縮する音声圧縮処理手段と、映像圧縮処理手段からの圧縮デジタル映像データと音声圧縮処理手段からの圧縮デジタル音声データとを入力してマルチプレックス処理をして圧縮デジタル映像音声データとして出力するマルチプレックス信号処理手段と、このマルチプレックス信号処理手段からの圧縮デジタル映像音声データを一時的に蓄えるバッファメモリと、このバッファメモリからの圧縮デジタル映像音声データを記録するハードディスクと、バッファメモリおよびハードディスクに対してデータのリード／ライトの制御を行うリード／ライト制御手段とを備えている。
【特許文献１】特開平９−１９８７９７号公報
【発明の開示】
【発明が解決しようとする課題】
【０００５】
このような構成により、従来の情報記録再生装置は、ハードディスクに所望のテレビ番組の映像音声データが記録されるが、歌番組のような映像を観ずに音声だけでも十分である番組であっても、映像データおよび音声データがハードディスクに記録されるので、ハードディスクの容量が多く必要とし、すぐに空き容量が少なくなると言う課題が生じる。
【０００６】
そこで、特許文献１の従来技術では、テレビ信号を形成する映像信号および音声信号のレベルを検出し、これら双方の信号のレベルが所定レベル以上ある場合、そのテレビ信号をハードディスクに記録するが、一方、または他方の信号が所定レベル以上となっているときは、映像信号のみの記録、または音声信号のみの記録を行うこともできるようにしているが、ユーザが所望する歌番組のような音声データのみをハードディスクに記録させることができないので、汎用性が劣る。また、音声データがハードディスクに記録されても、ＭＰ３プレイヤなどの音声再生機器で再生できるように、記録される音声データがＭＰ３圧縮デジタル音声データなどに変換されていないので、ＭＰ３プレイヤなどの音声再生機器に対応することができないと言う課題が生じる。
【０００７】
本発明は、上記のような課題を解決するためになされたもので、所望の番組の音声のみを記録することもでき、また、ＭＰ３プレイヤなどの音声再生機器でも音声を再生することができるようにした情報記録再生装置を提供することを目的とする。
【課題を解決するための手段】
【０００８】
上記目的を達成するために、請求項１の発明は、テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置において、音声データのみを記録媒体に記録させるか、通常に映像音声データを記録媒体に記録させるかの選択を行わせるための記録対象選択画面をディスプレイ装置に表示させる記録対象選択画面表示手段と、前記音声データのみを記録させる方が選択された場合に、チューナからの映像音声信号のうちＡ／Ｄ変換して得られたデジタル音声データを特定の音声圧縮形式の特定圧縮デジタル音声データに変換する音声特定圧縮処理手段と、前記変換された特定圧縮デジタル音声データのみを記録媒体に入力できるように前記特定圧縮デジタル音声データのみを選択する制御を行う音声選択制御手段と、前記選択された特定圧縮デジタル音声データを記録媒体に書き込むと共に、記録媒体から前記特定圧縮デジタル音声データを読み出す記録媒体制御手段と、前記読み出された特定圧縮デジタル音声データを外部の音声再生機器に送信するためのインターフェイスとを備えたことを特徴とする情報記録再生装置を提供する。
【０００９】
この構成において、リモコンにより記録対象選択画面を表示させる操作が行われると、記録対象選択画面表示手段は、記録対象選択画面をディススプレイ装置に表示させる。そして、音声のみを記録する方が選択され、この後、記録指示がされたときに、音声特定圧縮処理手段は、チューナからの映像音声信号のうちＡ／Ｄ変換して得られたデジタル音声データを特定の音声圧縮形式の特定圧縮デジタル音声データ（例えば、ＭＰ３圧縮デジタル音声データ）に変換する。
【００１０】
音声選択制御手段は、前記変換された特定圧縮デジタル音声データのみを選択する制御を行う。これにより、記録媒体には、特定圧縮デジタル音声データのみが入力され、記録媒体制御手段は、前記選択された特定圧縮デジタル音声データを記録媒体に書き込む。また、記録媒体制御手段は、記録媒体から特定圧縮デジタル音声データを読み出し、インターフェイスを介して外部に送信することも可能である。したがって、特定圧縮デジタル音声データを受信したＭＰ３プレイヤなどの音声再生機器は、圧縮デジタル音声データを所定処理して音声を再生して出力することができる。このように、情報記録再生装置において保存する音声データを特定圧縮デジタル音声データにすることにより、既存するＭＰ３プレイヤなどの音声再生機器で歌番組などの音声のみを聴くことができる。
【００１１】
この構成によれば、所望の番組の音声データのみを記録することもできるので、記録媒体の空き容量が増え、多くのデータを保存することができ、また、保存する音声データを特定圧縮デジタル音声データに変換して記録媒体に保存することにより、既存するＭＰ３プレイヤなどの音声再生機器で歌番組などの音声を再生して聴くことができるようになる。
【００１２】
請求項２の発明は、テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置において、デジタル音声データを特定の音声圧縮形式の特定圧縮デジタル音声データに変換する音声特定圧縮処理手段と、前記特定圧縮デジタル音声データを記録媒体に書き込むと共に、記録媒体から特定圧縮デジタル音声データを読み出す記録媒体制御手段と、前記読み出された特定圧縮デジタル音声データを外部の音声再生機器に送信するためのインターフェイスとを備えたことを特徴とする情報記録再生装置を提供する。
【００１３】
この構成において、音声特定圧縮処理手段は、チューナからの映像音声信号のうちＡ／Ｄ変換して得られたデジタル音声データを特定の音声圧縮形式の特定圧縮デジタル音声データ（例えば、ＭＰ３圧縮デジタル音声データ）に変換する。記録媒体制御手段は、前記特定圧縮デジタル音声データを記録媒体に書き込む。また、記録媒体制御手段は、記録媒体から特定圧縮デジタル音声データを読み出し、インターフェイスを介して外部に送信することも可能である。したがって、特定圧縮デジタル音声データを受信した音声再生機器は、圧縮デジタル音声データを所定処理して音声を再生して出力することができる。このように、情報記録再生装置において保存する音声データを特定圧縮デジタル音声データにすることにより、既存するＭＰ３プレイヤなどの音声再生機器で歌番組などの音声のみを聴くことができる。
【００１４】
この構成によれば、所望の番組の音声データのみを記録することもできるので、記録媒体の空き容量が増え、多くのデータを保存することができ、また、保存する音声データを特定圧縮デジタル音声データに変換して記録媒体に保存することにより、既存するＭＰ３プレイヤなどの音声再生機器で歌番組などの音声を再生して聴くことができるようになる。
【００１５】
請求項３の発明では、請求項２の発明において、前記音声特定圧縮処理手段は、音声データのみを記録媒体に記録させるか、通常に映像音声データを記録媒体に記録させるかの選択を行わせるために記録対象選択画面表示手段によりディスプレイ装置に表示された記録対象選択画面において、前記音声データのみを記録させる方が選択された場合に、チューナからの映像音声信号のうちＡ／Ｄ変換して得られたデジタル音声データを特定の音声圧縮形式の特定圧縮デジタル音声データに変換するので、この特定圧縮デジタル音声データを記録媒体に保存しておけば、既存するＭＰ３プレイヤなどの音声再生機器で再生できる音声データを得ることができる。
【００１６】
請求項４の発明では、請求項２の発明において、前記記録媒体制御手段は、前記変換された特定圧縮デジタル音声データのみを記録媒体に入力できるように、音声選択制御手段により選択された前記特定圧縮デジタル音声データを記録媒体に書き込むと共に、記録媒体から前記特定圧縮デジタル音声データを読み出すので、特定圧縮デジタル音声データを記録媒体に書き込んだり、記録媒体から特定圧縮デジタル音声データを読み出したりすることが可能になり、既存するＭＰ３プレイヤなどの音声再生機器に特定圧縮デジタル音声データを送信することが可能になる。
【発明の効果】
【００１７】
以上のように本発明によれば、テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置において、音声データのみを記録媒体に記録させるか、通常に映像音声データを記録媒体に記録させるかの選択を行わせるための記録対象選択画面をディスプレイ装置に表示させる記録対象選択画面表示手段と、前記音声データのみを記録させる方が選択された場合に、チューナからの映像音声信号のうちＡ／Ｄ変換して得られたデジタル音声データを特定の音声圧縮形式の特定圧縮デジタル音声データに変換する音声特定圧縮処理手段と、前記変換された特定圧縮デジタル音声データのみを記録媒体に入力できるように前記特定圧縮デジタル音声データのみを選択する制御を行う音声選択制御手段と、前記選択された特定圧縮デジタル音声データを記録媒体に書き込むと共に、記録媒体から前記特定圧縮デジタル音声データを読み出す記録媒体制御手段と、前記読み出された特定圧縮デジタル音声データを外部の音声再生機器に送信するためのインターフェイスとを備えたので、所望の番組の音声データのみを記録することもでき、これにより、記録媒体の空き容量が増え、多くのデータを保存することができ、また、保存する音声データを特定圧縮デジタル音声データに変換して記録媒体に保存することにより、既存するＭＰ３プレイヤなどの音声再生機器で歌番組などの音声を再生して聴くことができるようになる。また、保存した特定圧縮デジタル音声データは、編集ができ、ユーザの好きな箇所のみを記録媒体に保存することもできるようになる。
【００１８】
また、本発明によれば、テレビ放送信号を受信し、選局した映像音声信号を取り出すチューナを備え、このチューナからの映像音声信号を所定処理した映像音声データを記録媒体に記録すると共に、記録媒体に記録された映像音声データを再生する情報記録再生装置において、デジタル音声データを特定の音声圧縮形式の特定圧縮デジタル音声データに変換する音声特定圧縮処理手段と、前記特定圧縮デジタル音声データを記録媒体に書き込むと共に、記録媒体から特定圧縮デジタル音声データを読み出す記録媒体制御手段と、前記読み出された特定圧縮デジタル音声データを外部の音声再生機器に送信するためのインターフェイスとを備えたので、所望の番組の音声データのみを記録することもでき、これにより、記録媒体の空き容量が増え、多くのデータを保存することができ、また、保存する音声データを特定圧縮デジタル音声データに変換して記録媒体に保存することにより、既存するＭＰ３プレイヤなどの音声再生機器でも音声を再生して聴くことができるようになる。また、保存した特定圧縮デジタル音声データは、編集ができ、ユーザの好きな箇所のみを記録媒体に保存することもできるようになる。
【発明を実施するための最良の形態】
【００１９】
以下、添付図面を参照しつつ、本発明の実施の形態について説明する。図１は本発明の一実施形態に係る情報記録再生装置の構成を示すブロック図である。
【００２０】
この情報記録再生装置は、アンテナ１を介して受信したテレビ放送信号の中から選局されたアナログ映像音声信号を取り出すチューナ２と、このチューナ２からのアナログ映像信号を映像検波および映像増幅などの処理を行う映像処理手段３と、チューナ２からのアナログ音声信号を音声検波および音声増幅などの処理を行う音声処理手段４と、映像処理手段３からのアナログ映像信号をデジタル映像データに変換する映像Ａ／Ｄ変換手段５と、音声処理手段４からのアナログ音声信号をデジタル音声データに変換する音声Ａ／Ｄ変換手段６とを備えている。前記映像Ａ／Ｄ変換手段５は、入力されたアナログ映像信号に含まれる輝度信号とクロマ信号を、例えば、量子化ビット数８ビット、サンプリング周波数１３．５ＭＨｚで、デジタル映像データにＡ／Ｄ変換する。前記音声Ａ／Ｄ変換手段６は、入力されたアナログ音声信号を、例えば、量子化ビット数１０ビット、サンプリング周波数３１．５ＭＨｚで、デジタル音声データにＡ／Ｄ変換する。
【００２１】
また、この情報記録再生装置は、映像Ａ／Ｄ変換手段５からのデジタル映像データをＪＰＥＧ方式やＭＰＥＧ方式などにより圧縮する映像圧縮処理手段７と、音声Ａ／Ｄ変換手段６からのデジタル音声データをＭＰＥＧ方式などにより帯域圧縮する音声圧縮処理手段８と、映像圧縮処理手段７からの圧縮デジタル映像データと音声圧縮処理手段８からの圧縮デジタル音声データとを入力してマルチプレックス処理をして圧縮デジタル映像音声データとして出力するマルチプレックス信号処理手段９と、このマルチプレックス信号処理手段９からの圧縮デジタル映像音声データを一時的に蓄えるバッファメモリ１０と、このバッファメモリ１０からの圧縮デジタル映像音声データを記録するハードディスク１１と、ハードディスク１１から読み出された圧縮映像音声データを一時的に蓄えるバッファメモリ１３と、バッファメモリ１０，１３およびハードディスク１１に対してデータのリード／ライトの制御を行うリード／ライト制御手段１２とを備えている。
【００２２】
また、この情報記録再生装置は、バッファメモリ１３からの圧縮デジタル映像音声データをデマルチプレックス処理して圧縮デジタル映像データと圧縮デジタル音声データとに分離するデマルチプレックス信号処理手段１４と、このデマルチプレックス信号処理手段１４からの圧縮デジタル映像データを伸張処理する映像伸張処理手段１５と、デマルチプレックス信号処理手段１４からの圧縮デジタル音声データを伸張処理する音声伸張処理手段１６と、映像伸張処理手段１５からのデジタル映像データをアナログ映像信号に変換する映像Ｄ／Ａ変換手段１７と、音声伸張処理手段１６からのデジタル音声データをアナログ音声信号に変換する音声Ｄ／Ａ変換手段１８とを備えている。
【００２３】
また、この情報記録再生装置は、映像処理手段３からのアナログ映像信号または映像Ｄ／Ａ変換手段１７からのアナログ音声信号を選択して映像出力端子Ｔ１を介してディスプレイ装置２０に供給するスイッチＳＷ１と、音声処理手段４からのアナログ音声信号または映像Ｄ／Ａ変換手段１８からのアナログ音声信号を選択して音声出力端子Ｔ２を介して音声出力手段２１に供給するスイッチＳＷ２とを備えている。音声出力手段２１には、スピーカ２２などの音声発生手段が接続される。システムコントローラ１９は、リモコン２７からの操作信号に応答して、装置内の各構成要素を制御して、記録動作や再生動作などを実行させるものである。
【００２４】
更に、この情報記録再生装置は、本実施形態の特徴として、音声データのみを記録媒体としてのハードディスク１１に記録させるか、通常に映像音声データをハードディスク１１に記録させるかの選択を行わせるための記録対象選択画面をディスプレイ装置２０に表示させる記録対象選択画面表示手段２８と、前記音声データのみを記録させる方が選択された場合に、チューナ２からの映像音声信号のうちアナログ／デジタル変換して得られたデジタル音声データ（音声Ａ／Ｄ変換手段６からのデジタル音声データ）を特定の音声圧縮形式（例えば、ＭＰ３形式）の特定圧縮デジタル音声データ（ＭＰ３圧縮デジタル音声データ）に変換する音声特定圧縮処理手段としてのＭＰ３圧縮処理手段２３と、前記変換された特定圧縮デジタル音声データ（ＭＰ３圧縮デジタル音声データ）のみをハードディスク１１に入力できるように前記特定圧縮デジタル音声データ（ＭＰ３圧縮デジタル音声データ）のみを選択する制御を行う音声選択制御手段としてのＭＰ３音声選択制御手段２４と、前記選択された特定圧縮デジタル音声データ（ＭＰ３圧縮デジタル音声データ）をハードディスク１１に書き込むと共に、ハードディスク１１から特定圧縮デジタル音声データ（ＭＰ３圧縮デジタル音声データ）を読み出す記録媒体制御手段としてのリード／ライト制御手段１２と、前記読み出された特定圧縮デジタル音声データ（ＭＰ３圧縮デジタル音声データ）を外部の音声再生機器に送信するための所定のインターフェイスであるＵＳＢ（Universal Serial Bus）インターフェイス２５を制御するインターフェイス制御手段としてのＵＳＢ制御手段２６とを備えている。ＵＳＢインターフェイス２５には、図示しないＭＰ３音声再生機器の入出力端子がＵＳＢケーブルを介して接続される外部入出力端子Ｔ３が接続されている。
【００２５】
図２は本実施形態においてディスプレイ装置に表示された記録対象選択画面の一例を示す図である。この記録対象選択画面２０１には、「通常に映像・音声を記録しますか」「はい」および「音声のみを記録しますか」「はい」が表示されている。「通常に映像・音声を記録しますか」の「はい」をリモコン操作により選択して決定すると、この情報記録再生装置は、通常にテレビ番組の映像音声データをハードディスク１１に記録する動作を行う。一方、「音声のみを記録しますか」の「はい」をリモコン操作により選択して決定すると、この情報記録再生装置は、テレビ番組の音声データのみをハードディスク１１に記録する動作を行う。歌番組のような映像を観ずに音声だけでも十分である番組を記録する際に、音声データのみを保存したい場合には、「音声のみを記録しますか」の「はい」をリモコン操作により選択して決定すれば良い。このように音声データのみを保存した場合は、ハードディスク１１は、空き容量が増えるので、多くのデータを記録することができる。
【００２６】
図３は本実施形態において記録動作を説明するためのフローチャートである。このフローチャートおよび図１、図２を参照して記録動作について説明する。
【００２７】
先ず、リモコン２７により記録対象選択画面を表示させる操作を行うと、システムコントローラ１９は、記録対象選択画面表示手段２８を動作させ、例えば、図２に示すような記録対象選択画面２０１をディススプレイ装置２０に表示させる（ステップＳ１）。そして、リモコン操作により、「音声のみを記録しますか」の「はい」が選択されると、システムコントローラ１９は、音声のみが選択されたと判定し（ステップＳ２）、この後、リモコン操作により記録指示されたとき、または記録予約（録画予約）による記録開始時刻の到達により記録指示されたときに（ステップＳ３）、システムコントローラ１９は、ＭＰ３音声選択制御手段２４を制御し、これにより、ＭＰ３音声選択制御手段２４は、ＭＰ３圧縮処理手段２３を動作させる。そして、ＭＰ３圧縮処理手段２３は、音声Ａ／Ｄ変換手段６からのデジタル音声データをＭＰ３形式の圧縮デジタル音声データに変換する（ステップＳ４）。
【００２８】
また、ＭＰ３音声選択制御手段２４は、マルチプレックス信号処理手段９から圧縮デジタル映像音声データが出力されないようにマルチプレックス信号処理手段９を制御する。したがって、バッファメモリ１０には、ＭＰ３圧縮処理手段２３からのＭＰ３圧縮デジタル音声データのみが入力される。即ち、ＭＰ３圧縮デジタル音声データのみが選択されたことになる（ステップＳ５）。この後、リード／ライト制御手段１２は、バッファメモリ１０に一時的に格納されたＭＰ３圧縮デジタル音声データを読み出してハードディスク１１に書き込む動作を繰り返すことにより、当該番組のＭＰ３圧縮デジタル音声データをハードディスク１１に記録し（ステップ６）、記録が終了すれば（ステップ７）、本処理は終了する。
【００２９】
なお、ここでは、当該番組のＭＰ３圧縮デジタル音声データをハードディスク１１に記録する場合を示したが、当該番組の通常の圧縮デジタル音声データをハードディスク１１に記録させることも可能である。この場合は、マルチプレックス信号処理手段９は、音声圧縮処理手段８からの圧縮デジタル音声データのみを出力するように、マルチプレックス信号処理手段９を制御すれば、当該番組の通常の圧縮デジタル音声データをハードディスク１１に記録させることができる。
【００３０】
一方、リモコン操作により、「通常に映像・音声を記録しますか」の「はい」が選択されると、システムコントローラ１９は、映像音声が選択されたと判定し（ステップＳ８）、この後、リモコン操作により記録指示されたとき、または記録予約（録画予約）による記録開始時刻の到達により記録指示されたときに（ステップＳ９）、システムコントローラ１９は、ＭＰ３音声選択制御手段２４を制御し、これにより、ＭＰ３音声選択制御手段２４は、ＭＰ３圧縮処理手段２３を動作停止させる。
【００３１】
また、ＭＰ３音声選択制御手段２４は、マルチプレックス信号処理手段９から圧縮デジタル映像データおよび圧縮デジタル音声データが出力されるようにマルチプレックス信号処理手段９を制御する。したがって、バッファメモリ１０には、マルチプレックス信号処理手段９からの圧縮デジタル映像音声データが入力される。即ち、圧縮デジタル映像音声データが選択されたことになる（ステップＳ１０）。この後、リード／ライト制御手段１２は、バッファメモリ１０に一時的に格納された圧縮デジタル映像音声データを読み出してハードディスク１１に書き込む動作を繰り返すことにより、当該番組の圧縮デジタル映像音声データをハードディスク１１に記録し（ステップ１１）、記録が終了すれば（ステップ１２）、本処理は終了する。
【００３２】
さて、外部入出力端子Ｔ３に図示しないＭＰ３音声再生機器の入出力端子をＵＳＢケーブルを介して接続して、ハードディスク１１に記録されているＭＰ３圧縮デジタル音声データをＭＰ３音声再生機器に送信する場合は、リモコン２７を操作して、再生対象の番組のＭＰ３音声を選択する。これに応答してシステムコントローラ１９は、リード／ライト制御手段１２を制御し、ハードディスク１１から再生対象の番組のＭＰ３圧縮デジタル音声データを読み出す。更に、システムコントローラ１９は、ＵＳＢ制御手段２６を制御して、ＵＳＢインターフェイス２５を送信動作に設定し、ハードディスク１１から読み出された前記ＭＰ３圧縮デジタル音声データを、ＵＳＢインターフェイス２５を介して外部入出力端子Ｔ３から送信する。したがって、ＭＰ３圧縮デジタル音声データを受信したＭＰ３音声再生機器は、ＭＰ３圧縮デジタル音声データを所定処理して音声を再生して出力することができる。このように、情報記録再生装置において保存する音声データをＭＰ３圧縮デジタル音声データにすることにより、既存するＭＰ３音声再生機器（ＭＰ３プレイヤ）で歌番組などの音声のみを聴くことができる。
【００３３】
以上説明したように本実施形態によれば、所望の番組の音声データのみを記録することもできるので、記録媒体の空き容量が増え、多くのデータを保存することができ、また、保存する音声データを特定圧縮デジタル音声データに変換して記録媒体に保存することにより、既存するＭＰ３プレイヤなどの音声再生機器で歌番組などの音声を再生して聴くことができるようになる。また、保存した特定圧縮デジタル音声データは、編集ができ、ユーザの好きな箇所のみをハードディスクなどの記録媒体に保存することもできるようになる。
【００３４】
なお、本実施形態では、記録媒体としてハードディスクを用いたが、ＤＶＤ（デジタル・バーサタイル・ディスク）などの光ディスクを用いても良い。また、この情報記録再生装置は、ハードディスクだけを備えたものを示したが、ハードディスクと光ディスクを備えた複合型記録再生装置でも良い。また、本実施形態では、外部の音声再生機器は、ＭＰ３プレイヤである場合を示したが、他の音声圧縮形式（例えば、ＷＭＡ形式など）の音声再生機器であっても良く、この場合は、音声特定圧縮処理手段としては、ＭＰ３圧縮処理手段の代わりに、対応する音声圧縮形式の音声データに変換する音声圧縮処理手段を設ければ良い。
【産業上の利用可能性】
【００３５】
本発明は、音声データのみを記録／再生することもできる機能を、ハードディスクレコーダなどの情報記録再生装置や、ハードディスクレコーダとＤＶＤレコーダとの複合型の情報記録再生装置などに付加し、これにより、歌番組のような映像を観ずに音声だけでも十分に楽しむことができるようすることに利用可能である。
【図面の簡単な説明】
【００３６】
【図１】本発明の一実施形態に係る情報記録再生装置の構成を示すブロック図である。
【図２】前記実施形態においてディスプレイ装置に表示された記録対象選択画面の一例を示す図である。
【図３】前記実施形態において記録動作を説明するためのフローチャートである。
【符号の説明】
【００３７】
２    チューナ
１１    ハードディスク
１２    リード／ライト制御手段（記録媒体制御手段）
２０    ディスプレイ装置
２３    ＭＰ３圧縮処理手段（音声特定圧縮処理手段）
２４    ＭＰ３音声選択制御手段（音声選択制御手段）
２５    ＵＳＢインターフェイス（インターフェイス）
２８    記録対象選択画面表示手段
２０１    記録対象選択画面
【図１】
2007280500.tif 000003
【図２】
2007280500.tif 000004
【図３】
2007280500.tif 000005